(57)【特許請求の範囲】
【請求項１】
入金口から入金された貨幣を貨幣収納部に収納し、払出指示に応じて前記貨幣収納部に収納された貨幣を出金口に向けて払い出す貨幣処理機構部を筐体内に装着離脱自在に収納した貨幣入出金装置と、
前記貨幣入出金装置とデータ通信自在に接続し、各種操作入力を行うための入力部を備え、操作者を特定する操作者ＩＤの指定によってサインオン状態となるＰＯＳ端末と、
を備え、
前記貨幣入出金装置は、
前記筐体からの前記貨幣処理機構部の装着離脱をロックするロック機構と、
駆動部によって駆動されて前記ロック機構のロック解除を行うロック解除機構と、
ロック解除命令を入力するための命令入力手段と、
解除者ＩＤを入力するための解除者ＩＤ入力手段と、
前記解除者ＩＤ入力手段から入力された解除者ＩＤがキャッシャを特定できる正規なものであるか否かを判定し、当該解除者ＩＤが正規なものであり、かつ、ロック解除命令が入力されていることを条件として、前記駆動部を駆動して前記ロック機構のロック解除を行うとともに当該解除者ＩＤを含むロック解除情報を記憶部に記憶する手段と、
を備え、
前記ＰＯＳ端末は、前記入力部からのロック解除命令の入力を判定した場合、サインオンに用いられた前記操作者ＩＤにロック解除権限が付与されていることを条件として、ロック解除命令とともに正規の解除者ＩＤとして前記操作者ＩＤを前記貨幣入出金装置に入力する、
ＰＯＳ装置。
【請求項２】
入金口から入金された貨幣を貨幣収納部に収納し、払出指示に応じて前記貨幣収納部に収納された貨幣を出金口に向けて払い出す貨幣処理機構部を筐体内に装着離脱自在に収納した貨幣入出金装置と、
前記貨幣入出金装置とデータ通信自在に接続し、各種操作入力を行うための入力部を備え、操作者を特定する操作者ＩＤの指定によってサインオン状態となるＰＯＳ端末と、
を備え、
前記貨幣入出金装置は、
前記筐体からの前記貨幣処理機構部の装着離脱をロックするロック機構と、
駆動部によって駆動されて前記ロック機構のロック解除を行うロック解除機構と、
ロック解除命令を入力するための命令入力手段と、
解除者ＩＤを入力するための解除者ＩＤ入力手段と、
前記解除者ＩＤ入力手段から入力された解除者ＩＤがキャッシャを特定できる正規なものであるか否かを判定し、当該解除者ＩＤが正規なものであり、かつ、ロック解除命令が入力されていることを条件として、前記駆動部を駆動して前記ロック機構のロック解除を行うとともに当該解除者ＩＤを含むロック解除情報を記憶部に記憶する手段と、
を備え、
前記ＰＯＳ端末は、前記入力部からのロック解除命令の入力を判定した場合、ロック解除命令とともにサインオンに用いられた前記操作者ＩＤを前記貨幣入出金装置に入力し、
前記貨幣入出金装置は、前記入力された操作者ＩＤにロック解除権限が付与されていることを条件として、正規の解除者ＩＤとして前記操作者ＩＤが入力されたものとする、
ＰＯＳ装置。
【請求項３】
入金口から入金された貨幣を貨幣収納部に収納し、払出指示に応じて前記貨幣収納部に収納された貨幣を出金口に向けて払い出す貨幣処理機構部を筐体内に装着離脱自在に収納した貨幣入出金装置と、
前記貨幣入出金装置とデータ通信自在に接続し、操作者を特定する操作者ＩＤの指定によってサインオン状態となるＰＯＳ端末と、
を備え、
前記貨幣入出金装置は、
前記筐体からの前記貨幣処理機構部の装着離脱をロックするロック機構と、
駆動部によって駆動されて前記ロック機構のロック解除を行うロック解除機構と、
ロック解除命令を入力するための命令入力手段と、
解除者ＩＤを入力するための解除者ＩＤ入力手段と、
前記解除者ＩＤ入力手段から入力された解除者ＩＤがキャッシャを特定できる正規なものであるか否かを判定し、当該解除者ＩＤが正規なものであり、かつ、ロック解除命令が入力されていることを条件として、前記駆動部を駆動して前記ロック機構のロック解除を行うとともに当該解除者ＩＤを含むロック解除情報を記憶部に記憶する手段と、
を備え、ロック解除命令の入力を判定した場合、前記ＰＯＳ端末に解除者ＩＤの入力を要求する要求信号を送信し、
前記ＰＯＳ端末は、前記要求信号を受信した場合、サインオンに用いられた前記操作者ＩＤにロック解除権限が付与されていることを条件として、正規の解除者ＩＤとして前記操作者ＩＤを前記貨幣入出金装置に入力する、
ＰＯＳ装置。
【請求項４】
入金口から入金された貨幣を貨幣収納部に収納し、払出指示に応じて前記貨幣収納部に収納された貨幣を出金口に向けて払い出す貨幣処理機構部を筐体内に装着離脱自在に収納した貨幣入出金装置と、
前記貨幣入出金装置とデータ通信自在に接続し、操作者を特定する操作者ＩＤの指定によってサインオン状態となるＰＯＳ端末と、
を備え、
前記貨幣入出金装置は、
前記筐体からの前記貨幣処理機構部の装着離脱をロックするロック機構と、
駆動部によって駆動されて前記ロック機構のロック解除を行うロック解除機構と、
ロック解除命令を入力するための命令入力手段と、
解除者ＩＤを入力するための解除者ＩＤ入力手段と、
前記解除者ＩＤ入力手段から入力された解除者ＩＤがキャッシャを特定できる正規なものであるか否かを判定し、当該解除者ＩＤが正規なものであり、かつ、ロック解除命令が入力されていることを条件として、前記駆動部を駆動して前記ロック機構のロック解除を行うとともに当該解除者ＩＤを含むロック解除情報を記憶部に記憶する手段と、
を備え、ロック解除命令の入力を判定した場合、前記ＰＯＳ端末から当該ＰＯＳ端末のサインオンに用いられた操作者ＩＤを取得し、当該操作者ＩＤにロック解除権限が付与されていることを条件として、正規の解除者ＩＤとして前記操作者ＩＤが入力されたものとする、
ＰＯＳ装置。
【請求項５】
前記ロック機構は、鍵によるロック解除が可能な構造を有する、請求項１ないし４のいずれか一項に記載のＰＯＳ装置。
【請求項６】
前記貨幣入出金装置は、前記貨幣処理機構部でエラーが発生しているか否かを判定する手段を備え、エラーが発生したと判定した場合、エラー報知処理を実行する、請求項１ないし５のいずれか一項に記載のＰＯＳ装置。
【発明の詳細な説明】
【技術分野】
【０００１】
本発明は、ＰＯＳ（Ｐｏｉｎｔ  Ｏｆ  Ｓａｌｅｓ）端末やＥＣＲ（Ｅｌｅｃｔｒｏｎｉｃ  Ｃａｓｈ  Ｒｅｇｉｓｔａｒ）等の電子機器に接続されて用いられる貨幣入出金装置を備えるＰＯＳ装置（商品販売データ処理装置）に関する。
【背景技術】
【０００２】
従来、貨幣入出金装置が接続されているＰＯＳ端末やＥＣＲ等の電子機器（例えば、特許文献１）が小売店等の店舗に導入され、これを用いた商品取引が行われている。貨幣入出金装置は、入金口から入金された貨幣を貨幣収納部に収納し、払出指示に応じて貨幣収納部に収納された貨幣を出金口に向けて払い出す貨幣処理機構部を筐体内に備えている。貨幣処理機構部によって、キャッシャが貨幣収納部や貨幣処理機構部に触れることなく貨幣入出金装置に対し入出金を行うことが可能になる。この点、商品取引の際にキャッシャが貨幣収納部を筐体から引き出して貨幣（紙幣及び硬貨）の入出金作業を行う必要があるドロワと比較すると、貨幣入出金装置に貨幣を収納して保管することは安全であるといえる。
【０００３】
ところで、貨幣入出金装置では、貨幣処理機構部に貨幣が滞留する「貨幣詰まり」が発生して機器が使用不能の状態になることがある。そのため、貨幣入出金装置の貨幣処理機構部は筐体に装着離脱自在に収納されており、貨幣入出金装置において貨幣詰まりが発生した場合にもキャッシャが筐体から貨幣処理機構部を引き出して滞留した貨幣を取り除くことができるようになっている。しかし、この貨幣詰まりは滅多に発生することはなく、加えて、貨幣入出金装置を用いた商品取引ではキャッシャが貨幣処理機構部に触れることなく入出金が可能であることから、通常、貨幣入出金装置において筐体からの貨幣処理機構部の装着離脱はロックされている。さらに、貨幣処理機構部の装着離脱のロックを解除するための鍵を店長やフロアマネージャなどの責任者が管理する運用を行うことで、店舗では、より安全に貨幣入出金装置に貨幣を保管することができる。
【０００４】
【特許文献１】特開２００４−１９２４５５公報
【発明の開示】
【発明が解決しようとする課題】
【０００５】
しかし、責任者が鍵を管理する運用がなされている店舗において貨幣入出金装置で貨幣詰まりが発生した場合、キャッシャが貨幣処理機構部に滞留している貨幣を取り除くためには、責任者を呼び出してロックを解除してもらわなければならず、この間、商品取引が中断してしまう。これを解消すべく、店舗においてキャッシャが鍵を管理する運用を行って、貨幣入出金装置で発生する貨幣詰まりをキャッシャが素早く解消できるようにすることも考えられる。しかし、このような運用方法では、キャッシャは貨幣詰まりが発生した場合以外にも硬貨入出金装置の筐体を開けることができるようになってしまい、貨幣入出金装置に貨幣を保管する上での安全性が低くなってしまうという別の問題が発生する。
【０００６】
本発明の目的は、貨幣入出金装置で発生する貨幣詰まりを素早く解消できるようにしつつ、貨幣入出金装置に貨幣を保管する上での安全性を高めることである。
【課題を解決するための手段】
【０００７】
本発明の貨幣入出金装置は、入金口から入金された貨幣を貨幣収納部に収納し、払出指示に応じて前記貨幣収納部に収納された貨幣を出金口に向けて払い出す貨幣処理機構部を筐体内に装着離脱自在に収納した貨幣入出金装置であって、前記筐体からの前記貨幣処理機構部の装着離脱をロックするロック機構と、駆動部によって駆動されて前記ロック機構のロック解除を行うロック解除機構と、ロック解除命令を入力するための命令入力手段と、解除者ＩＤを入力するための解除者ＩＤ入力手段と、前記解除者ＩＤ入力手段から入力された解除者ＩＤがキャッシャを特定できる正規なものであるか否かを判定し、当該解除者ＩＤが正規なものであり、かつ、ロック解除命令が入力されていることを条件として、前記駆動部を駆動して前記ロック機構のロック解除を行うとともに当該解除者ＩＤを含むロック解除情報を記憶部に記憶する手段と、を備える。
【０００８】
本発明のＰＯＳ装置は、上記の貨幣入出金装置と、前記貨幣入出金装置とデータ通信自在に接続し、各種操作入力を行うための入力部を備え、操作者を特定する操作者ＩＤの指定によってサインオン状態となるＰＯＳ端末と、を備え、前記ＰＯＳ端末は、前記入力部からのロック解除命令の入力を判定した場合、サインオンに用いられた前記操作者ＩＤにロック解除権限が付与されていることを条件として、ロック解除命令とともに正規の解除者ＩＤとして前記操作者ＩＤを前記貨幣入出金装置に入力する。
【０００９】
また、別の面から見た本発明のＰＯＳ装置は、上記の貨幣入出金装置と、前記貨幣入出金装置とデータ通信自在に接続し、各種操作入力を行うための入力部を備え、操作者を特定する操作者ＩＤの指定によってサインオン状態となるＰＯＳ端末と、を備え、前記ＰＯＳ端末は、前記入力部からのロック解除命令の入力を判定した場合、ロック解除命令とともにサインオンに用いられた前記操作者ＩＤを前記貨幣入出金装置に入力し、前記貨幣入出金装置は、前記入力された操作者ＩＤにロック解除権限が付与されていることを条件として、正規の解除者ＩＤとして前記操作者ＩＤが入力されたものとする。
【００１０】
また、別の面から見た本発明のＰＯＳ装置は、上記の貨幣入出金装置と、前記貨幣入出金装置とデータ通信自在に接続し、操作者を特定する操作者ＩＤの指定によってサインオン状態となるＰＯＳ端末と、を備え、前記貨幣入出金装置は、ロック解除命令の入力を判定した場合、前記ＰＯＳ端末に解除者ＩＤの入力を要求する要求信号を送信し、前記ＰＯＳ端末は、前記要求信号を受信した場合、サインオンに用いられた前記操作者ＩＤにロック解除権限が付与されていることを条件として、正規の解除者ＩＤとして前記操作者ＩＤを前記貨幣入出金装置に入力する。
【００１１】
また、別の面から見た本発明のＰＯＳ装置は、上記の貨幣入出金装置と、前記貨幣入出金装置とデータ通信自在に接続し、操作者を特定する操作者ＩＤの指定によってサインオン状態となるＰＯＳ端末と、を備え、前記貨幣入出金装置は、ロック解除命令の入力を判定した場合、前記ＰＯＳ端末から当該ＰＯＳ端末のサインオンに用いられた操作者ＩＤを取得し、当該操作者ＩＤにロック解除権限が付与されていることを条件として、正規の解除者ＩＤとして前記操作者ＩＤが入力されたものとする。
【発明の効果】
【００１２】
本発明によれば、貨幣入出金装置ではキャッシャを特定できる正規な解除者ＩＤが入力された場合、ロック解除命令が入力されていることを条件として、筐体からの貨幣処理機構部のロックが解除されるとともに解除者ＩＤを含むロック解除情報が記憶部に記憶されるため、貨幣入出金装置で発生する貨幣詰まりを素早く解消できるようにしつつ、貨幣入出金装置に貨幣を保管する上での安全性を高めることができる。
【発明を実施するための最良の形態】
【００１３】
本発明の実施の一形態について、図１ないし図８に基づいて説明する。
【００１４】
図１は、本実施の形態のＰＯＳ装置１で行われる処理の概要を示す模式図である。本実施の形態のＰＯＳ装置１は、ＰＯＳ端末２及び貨幣入出金装置５が互いにデータ通信自在に接続されて構成されている。ＰＯＳ装置１の構造の詳細は図２及び図３に基づいて後述する。ＰＯＳ装置１のハードウェア構成の詳細は、図５に基づいて後述する。
【００１５】
貨幣入出金装置５は、おおまかには、入金口から入金された貨幣（紙幣や硬貨）を貨幣収納部に金種別に収納し、払出指示に応じて貨幣収納部に収納された貨幣を出金口に向けて払い出す貨幣処理機構部（紙幣処理ユニット５ｃ及び硬貨処理ユニット５ｇ）を貨幣入出金装置５の前後の方向にスライドさせて筐体５ｅ、５ｉに装着離脱自在に収納している機器である。貨幣入出金装置５は、筐体５ｅ、５ｉに収納された状態のまま引き出しできないようにロックするロック機構６を備える。ロック機構６によるロックは、プルソレノイド２３（図４参照）が駆動することによってそのロックが解除され、貨幣収納機構部は筐体５ｅ、５ｉに対し装着離脱自在となる。ロック機構６の構造の詳細は、図４に基づいて後述する。
【００１６】
貨幣入出金装置５は、紙幣入出金装置５ａ及び硬貨入出金装置５ｂにより構成されている。紙幣入出金装置５ａは、貨幣処理機構部としての紙幣処理ユニット５ｃと、ＰＯＳ装置１の手前方向にスライドさせて引き出し可能に紙幣処理ユニット５ｃに接続し紙幣処理ユニット５ｃを収納する筐体５ｅと、紙幣処理ユニット５ｃの一部をなし筐体５ｅを閉じる蓋材５ｄとを備える。同様に、硬貨入出金装置５ｂは、貨幣処理機構部としての硬貨処理ユニット５ｇと、ＰＯＳ装置１の手前方向にスライドさせて引き出し可能に硬貨処理ユニット５ｇに接続し硬貨処理ユニット５ｇを収納する筐体５ｉと、硬貨処理ユニット５ｇの一部をなし筐体５ｉを閉じる蓋材５ｈとを備える。
【００１７】
貨幣入出金装置５を構成する紙幣入出金装置５ａ及び硬貨入出金装置５ｂは、貨幣入出金装置５に備わる操作表示部３やＰＯＳ端末２に備わる入力部８等の入力手段から解除者ＩＤ及びロック解除命令の入力を待機している。解除者ＩＤとは、ロック解除命令を入力する者（キャッシャ）を特定する識別コードであり、その解除者ＩＤによりキャッシャを特定できるものを正規な解除者ＩＤとし、キャッシャを特定できないものを正規でない解除者ＩＤとする。そして、貨幣入出金装置５は、キャッシャを特定できる正規な解除者ＩＤ及びロック解除命令の双方の入力を判定した場合、プルソレノイド２３を駆動して紙幣入出金装置５ａや硬貨入出金装置５ｂの筐体５ｅ、５ｉのロック解除を行うとともに、ロック解除情報３０１をロック解除履歴ファイルＦに記憶する。ロック解除履歴ファイルＦのデータ構造の詳細については、図６に基づいて後述する。ロック解除情報３０１は、入力された解除者ＩＤの他、ロック解除命令が入力された時刻等を含む。ロック解除がなされた紙幣入出金装置５ａや硬貨入出金装置５ｂでは、キャッシャが蓋材５ｄ、５ｈを持って紙幣処理ユニット５ｃや硬貨処理ユニット５ｇをＰＯＳ装置１の手前方向に引き出して筐体５ｅ、５ｉを開き、紙幣処理ユニット５ｃに滞留している紙幣や硬貨処理ユニット５ｇに滞留している硬貨を取り除くことが可能になる。
【００１８】
図２は、ＰＯＳ装置１の外観斜視図である。ＰＯＳ装置１は、ＰＯＳ端末２及び貨幣入出金装置５により構成される。貨幣入出金装置５は、ＰＯＳ端末２を上面に載置し、双方の背面の位置を揃え、貨幣入出金装置５の前方部分に設けられている硬貨投入口１５及び操作表示部３が外観に現れる状態に設置される。ＰＯＳ端末２及び貨幣入出金装置５は、それぞれの背面に接続されている接続ケーブルＣＢ（図５参照）によって、互いにデータ通信自在に接続されている。
【００１９】
ＰＯＳ端末２は、各部を収納するハウジング７を備える。ハウジング７の上面は、ＰＯＳ端末２の手前側が低くなるように若干傾斜して形成されている。ハウジング７の上面の右側には入力部８が設けられている。入力部８の奥側のハウジング７の上面には、キャッシャ用表示部９が情報表示面を手前側に向けて立設されている。キャッシャ用表示部９のさらに奥側のハウジング７の上面には、客用表示部１０が情報表示面を奥側に向けた状態で立設している。ハウジング７の背面には、商品にコードシンボルの態様で貼付されている商品コードを読み取る商品コード入力部としてのコードスキャナ１１が接続されている。
【００２０】
入力部８は、操作者ＩＤ及びロック解除命令などの各種データ入力及び操作入力の際に用いられる。操作者ＩＤは、ＰＯＳ装置１をサインオン状態にする際にＰＯＳ装置１の操作者を特定するために用いられ、操作者ＩＤがキャッシャを特定できる正規なものである場合には、この操作者ＩＤは正規な解除者ＩＤとして貨幣入出金装置５に入力される。より詳細には、入力部８から入力された操作者ＩＤは、ＰＯＳ端末２のＲＡＭ２０４（図５参照）に一時記憶された後に、認証のために図示しないストアコントローラや本部サーバに送信される。ストアコントローラや本部サーバは、受信した操作者ＩＤをサインオンテーブルに基づいて認証し、その認証結果をＰＯＳ装置１に送信する。この認証結果が認証成功を示すものである場合、ＰＯＳ装置１は、この操作者ＩＤによるＰＯＳ装置１の使用が可能になるサインオン状態に移行する。そして、この場合、ＰＯＳ装置１の情報処理部２０１（図５参照）は、認証が行われた操作者ＩＤを正規の解除者ＩＤとして貨幣入出金装置５に入力する。貨幣入出金装置５を構成する紙幣入出金装置５ａは、入力された操作者ＩＤを正規な解除者ＩＤとしてＲＡＭ２５４（図５参照）に記憶する。また、貨幣入出金装置５を構成する硬貨入出金装置５ｂは、入力された操作者ＩＤを正規な解除者ＩＤとしてＲＡＭ２７４（図５参照）に記憶する。また、入力部８から入力されたロック解除命令は、貨幣入出金装置５を構成する紙幣入出金装置５ａ及び硬貨入出金装置５ｂに入力される。
【００２１】
貨幣入出金装置５は、紙幣入出金装置５ａ及び硬貨入出金装置５ｂが通信機構２５８、２７８（図５参照）によってデータ通信自在に接続されて構成されている。紙幣入出金装置５ａは貨幣入出金装置５の右側に配置され、硬貨入出金装置５ｂは貨幣入出金装置５の左側に配置されており、それぞれが有する蓋材５ｄ、５ｈはＰＯＳ装置１の手前側に向けられている。紙幣入出金装置５ａの蓋材５ｄには、入金口としての紙幣挿入口１３及び出金口としての紙幣排出口１４が、前方に開口した状態で設けられている。硬貨入出金装置５ｂの蓋材５ｈには、入金口としての硬貨投入口１５、出金口としての硬貨排出口１６及び操作表示部３が設けられている。硬貨投入口１５は、貨幣入出金装置５の略中央かつ前方に、上方に開口した状態で設けられている。硬貨排出口１６は、硬貨投入口１５の左側で下方に向いて設けられている。硬貨排出口１６の下方には硬貨受皿１７が形成されており、硬貨排出口１６から払い出された硬貨が蓄積されるようになっている。操作表示部３は、硬貨排出口１６の上方に設けられ、紙幣入出金装置５ａ及び硬貨入出金装置５ｂに対する操作インターフェイスとしての役割を果たし、解除者ＩＤ及びロック解除命令の入力に用いられる。解除者ＩＤの入力及びロック解除命令の入力は、操作表示部３からも可能である。操作表示部３から入力された解除者ＩＤは、正規なものであるか否かが判定され、正規なものである場合にのみ紙幣入出金装置５ａのＲＡＭ２５４（図５参照）及び硬貨入出金装置５ｂのＲＡＭ２７４（図５参照）に記憶される。操作表示部３から入力された解除者ＩＤが正規なものであるか否かの判断は、周知の技術を用いて行うことが可能である。一例として、紙幣入出金装置５ａの情報処理部２５１がＰＯＳ装置１や図示しないストアコントローラ、本部サーバ等から正規な解除者ＩＤのみが記憶されている解除者ＩＤファイルを予めダウンロードしておき、操作表示部３から入力された解除者ＩＤがこの解除者ＩＤファイルに含まれていることをもって、入力された解除者ＩＤが正規なものであると判断する。別の一例として、紙幣入出金装置５ａの情報処理部２５１が入力された解除者ＩＤをＰＯＳ端末２を介してストアコントローラや本部サーバに送信し、このストアコントローラや本部サーバからこの解除者ＩＤが正規なものであるという認証結果を受信することによって、入力された解除者ＩＤが正規なものであると判断するようにしてもよい。
【００２２】
なお、操作表示部３の代わりにＰＯＳ端末２の入力部８を解除者ＩＤ入力手段として機能させ、ＰＯＳ端末２の入力部８から入力された解除者ＩＤが正規なものであるか否かを紙幣入出金装置５ａの情報処理部２５１や硬貨入出金装置５ｂの情報処理部２７１が判断するようにしても良い。
【００２３】
図３は、硬貨処理ユニット５ｇが引き出された状態の硬貨入出金装置５ｂの外観斜視図である。ここでは、貨幣入出金装置５を構成する紙幣入出金装置５ａ及び硬貨入出金装置５ｂのうち、硬貨入出金装置５ｂの内部構造について、図３に基づいて説明する。硬貨入出金装置５ｂの外観を構成する筐体５ｉは、硬貨処理ユニット５ｇを硬貨入出金装置５ｂの前後方向にスライドさせるスライド機構を有して、硬貨処理ユニット５ｇを装着離脱自在に収納する構造を有する。硬貨処理ユニット５ｇは、貨幣収納部としての硬貨収納部と、硬貨搬送経路５ｊと、搬送機構と、選別機構と、払出機構とにより構成される（硬貨搬送経路５ｊ以外は図示せず）。硬貨収納部は、１円硬貨収納部、５円硬貨収納部、１０円硬貨収納部、５０円硬貨収納部、１００円硬貨収納部及び５００円硬貨収納部から構成され、硬貨処理ユニット５ｇが筐体５ｉから引き出された状態でもすぐに露出しないように収納蓋５ｋによって覆われている。硬貨搬送経路５ｊは、硬貨投入口１５から硬貨収納部を経由して硬貨排出口１６まで連絡している、硬貨投入口１５から入金された硬貨が案内搬送されるための経路である。この硬貨搬送経路５ｊに沿って、搬送される硬貨を検知し貨幣詰まり（硬貨詰まり）の発生の判定に用いられる検知センサ２８０（図５参照）が複数配置されている。搬送機構は、モータ２７９（図５参照）を駆動源として駆動し硬貨搬送経路５ｊに沿って硬貨を搬送する。選別機構は、搬送される硬貨を金種別に選別して硬貨収納部に収納する。払出機構は、硬貨収納部に収納されている硬貨を貨幣入出金装置５の操作表示部３やＰＯＳ端末２から入力される払出指示に応じて硬貨排出口１６に向けて払い出す。
【００２４】
硬貨入出金装置５ｂにおいて、硬貨投入口１５から投入される硬貨は、硬貨搬送経路５ｊを経て硬貨収納部に収納され、その後、硬貨排出口１６に払い出される。しかし、硬貨入出金装置５ｂでは、硬貨搬送機構によって硬貨搬送経路５ｊに沿って硬貨を搬送することが出来ず硬貨処理ユニット５ｇ内に硬貨が滞留する貨幣詰まり（硬貨入出金装置５ｂにおいては硬貨詰まり）が発生し、硬貨収納部に対する入出金ができずに使用不能の状態に陥ってしまうことがある。このままではキャッシャはＰＯＳ装置１を用いた商品取引を行うことができないため、ＰＯＳ装置１を操作するキャッシャは、硬貨処理ユニット５ｇ内に滞留している貨幣を取り除いて硬貨入出金装置５ｂを再び使用できる状態にする必要がある。
【００２５】
硬貨入出金装置５ｂでは検知センサ２８０の硬貨の検知結果に基づいて硬貨詰まりの発生が判定されると、硬貨詰まりが発生している旨の報知が行われる。ＰＯＳ装置１の操作者であるキャッシャは、この報知によって硬貨入出金装置５ｂ内で硬貨詰まりが発生していることを認識し、滞留している硬貨を取り除いて素早く硬貨入出金装置５ｂを通常の状態に復旧するために、硬貨入出金装置５ｂの筐体５ｉから硬貨処理ユニット５ｇを引き出し、硬貨処理ユニット５ｇから滞留している硬貨を取り除いて硬貨処理ユニット５ｇを筐体５ｉに収納する必要がある。そのため、収納蓋５ｋは、鍵や螺子止めなどにより硬貨処理ユニット５ｇに固定されているのではなく、キャッシャが何も道具を使わずに取り外しが行えるようになっている。
【００２６】
ところで、硬貨処理ユニット５ｇは硬貨詰まりを素早く解消できるように構成されている必要がある反面、キャッシャの意のままに筐体５ｉから装着離脱できるようになっていると硬貨入出金装置５ｂに保管されている硬貨が簡単に盗み出されてしまうおそれがある。そのため、硬貨入出金装置５ｂは通常、ロック機構６によって筐体５ｉに収納された状態の硬貨処理ユニット５ｇの装着離脱がロックされており、このロックが解除されない限り、硬貨処理ユニット５ｇが筐体５ｉから硬貨入出金装置５ｂの手前方向に引き出されて外部に露出されることはない。ロック機構６による筐体５ｉからの硬貨処理ユニット５ｇのロックの解除の仕組みについては、図４に基づいて後述する。
【００２７】
以上、硬貨入出金装置５ｂの内部構造について説明した。貨幣入出金装置５を構成する紙幣入出金装置５ａの内部構造は、貨幣収納部として紙幣収納部（千円紙幣収納部、二千円紙幣収納部、五千円紙幣収納部及び一万円紙幣収納部）を備える点が異なるが、紙幣処理ユニット５ｃが筐体５ｅに収納された状態ではロック機構６によりロックされる点、このロックが解除されると紙幣処理ユニット５ｃをスライド引き出し可能になる点など、硬貨入出金装置５ｂの内部構造と同様である。このため、紙幣入出金装置５ａの内部構造についての説明は省略する。
【００２８】
図４は、ロック機構６の構造を示す模式図である。ここでは、硬貨入出金装置５ｂに備わるロック機構６の構造について、図４に基づいて説明する。なお、紙幣入出金装置５ａに備わるロック機構６は、硬貨入出金装置５ｂに備わるものと同様の構造であるため、説明は省略する。ロック機構６は、硬貨処理ユニット５ｇに設けられ、可動体としてのロックレバー２１と、嵌合部２２と、スプリング２６とを含んでいる。ロックレバー２１は、長手方向を硬貨入出金装置５ｂの手前から奥に向かう方向に向けて配置され、硬貨処理ユニット５ｇの内側の右側壁２４に接続点２５を中心に揺動自在に接続されている。ロックレバー２１のうち硬貨入出金装置５ｂの奥側の先端には、下方向に突出する先端部２１ａが形成されている。嵌合部２２は、図４（ａ）ないし（ｃ）に示すように、硬貨処理ユニット５ｇに開口している第１嵌合孔２２ａ及び筐体５ｉに開口している第２嵌合孔２２ｂにより構成され、ロックレバー２１の先端を嵌合させる形状に形成されている。スプリング２６は、ロックレバー２１のうち硬貨入出金装置５ｂの手前側に位置する後端部２１ｂに接続して上向きに付勢している。スプリング２６の付勢によって先端部２１ａは下方に落ち込み、第１嵌合孔２２ａを貫通して第２嵌合孔２２ｂにも嵌合し、筐体５ｉからの硬貨処理ユニット５ｇの装着離脱をロックする（図４（ａ））。すなわち、ロック機構６は、ロックレバー２１の先端部２１ａが嵌合部２２に嵌合することで、筐体５ｉからの硬貨処理ユニット５ｇの装着離脱をロックする。
【００２９】
ロックレバー２１の後端部２１ｂには、情報処理部２７１（図５参照）の制御に応じて上下に進退する駆動部としてのプルソレノイド２３も接続されている。プルソレノイド２３は、駆動していない通常時では、図示しない内部付勢機構によって付勢されて、上方に進出している（図４（ａ））。そして、プルソレノイド２３は駆動すると、下方に退避し、ロックレバー２１を揺動させて、筐体５ｉに対する硬貨処理ユニット５ｇのロックを解除する（図４（ｂ））。すなわち、プルソレノイド２３は、ロック機構６のロックを解除するロック解除機構を構成する。
【００３０】
さらに、ロック機構６を構成するロックレバー２１の後端部２１ｂには、蓋材５ｈに設けられた鍵穴１８を形成している鍵シリンダ２７によって、ロック解除が可能な構造を有している（図４（ｃ））。より詳細には、鍵１９が鍵穴１８に挿入されていない状態では、スプリング２６がロックレバー２１を付勢することでロックレバー２１の先端部２１ａは嵌合部２２に嵌合し、筐体５ｉからの硬貨処理ユニット５ｇの装着離脱をロックしているロック状態を形成している（図４（ａ）参照）。鍵１９が鍵穴１８に挿入され図４（ｂ）における反時計回りの方向に回動されると、鍵１９の回動に伴って鍵シリンダ２７から突出するピン２８がロックレバー２１の硬貨入出金装置５ｂの後端部２１ｂに縦長楕円形状に開口しているピン挿入孔２１ｃの内壁の下側面を押し下げる（図４（ｃ））。その結果、ロックレバー２１は揺動し、先端部２１ａが嵌合部２２から退避して、ロック状態が解除される。
【００３１】
なお、硬貨処理ユニット５ｇを収納する筐体５ｉの内壁２９には、光センサ３０が設置されている。光センサ３０は反射型であり、筐体５ｉに収納された状態の硬貨処理ユニット５ｇを検知するが（図４（ａ））、筐体５ｉから引き出された状態の硬貨処理ユニット５ｇは検知しない（図４（ｂ））。なお、図示はしないが、紙幣入出金装置５ａにおいても、上記と同様のロック機構６が備わっている。
【００３２】
図５は、ＰＯＳ装置１のハードウェア構成を示すブロック図である。ＰＯＳ装置１を構成する２及び貨幣入出金装置５は、接続ケーブルＣＢによってデータ通信自在に接続されている。
【００３３】
ＰＯＳ端末２は、情報処理を実行する情報処理部２０１を備える。情報処理部２０１は、ＰＯＳ端末２の各部を集中的に制御するＣＰＵ２０２と、固定データを格納するＲＯＭ２０３と、可変データを書き換え自在に記憶する記憶部であるＲＡＭ２０４とから構成される。情報処理部２０１には、各種プログラム及びデータを記憶する記憶部としてのＨＤＤ２０６、ＬＡＮインターフェイス２０７及び外部機器インターフェイス２１０がバス接続されている。さらに、情報処理部２０１には、図示しない入出力回路を介して、入力部８、キャッシャ用表示部９、客用表示部１０及びコードスキャナ１１もバス接続されている。ＬＡＮインターフェイス２０７は、上位機としての図示しないストアコントローラや本部サーバとＰＯＳ端末２との間のデータ通信を実現する。外部機器インターフェイス２１０は、接続ケーブルＣＢを介してのＰＯＳ端末２と貨幣入出金装置５との間のデータ通信を実現する。ＰＯＳ端末２の情報処理部２０１は、ＨＤＤ２０６に格納されているプログラムの記述に従って、ＬＡＮインターフェイス２０７を介して接続する時刻サーバから適宜現在時刻を取得する処理を実行し、また、情報処理部２０１が把握している現在時刻を貨幣入出金装置５に送信することにより、ＰＯＳ装置１を構成する機器全体での現在時刻の同期を図る。
【００３４】
貨幣入出金装置５を構成する紙幣入出金装置５ａは、情報処理を実行する情報処理部２５１を備える。情報処理部２５１は、紙幣入出金装置５ａの各部を集中的に制御するＣＰＵ２５２とＲＯＭ２５３とＲＡＭ２５４とから構成される。情報処理部２５１には、記憶部としてのフラッシュメモリ２５６、外部機器インターフェイス２５７及び通信機構２５８がバス接続されている。フラッシュメモリ２５６には、ロック解除履歴ファイルＦが格納されている（図６も参照）。さらに、情報処理部２５１には、図示しない入出力回路を介して、モータ２５９、検知センサ２６０、ブザー回路２６２、光センサ３０及びプルソレノイド２３もバス接続されている。通信機構２５８は、紙幣入出金装置５ａと硬貨入出金装置５ｂとの間のデータ通信を実現する。ブザー回路２６２は、情報処理部２５１の制御に応じて所定のブザー音を出力する。
【００３５】
貨幣入出金装置５を構成する硬貨入出金装置５ｂは、情報処理を実行する情報処理部２７１を備える。情報処理部２７１は、硬貨入出金装置５ｂの各部を集中的に制御するＣＰＵ２７２とＲＯＭ２７３とＲＡＭ２７４とから構成される。情報処理部２７１には、記憶部としてのフラッシュメモリ２７６、外部機器インターフェイス２７７及び通信機構２７８がバス接続されている。フラッシュメモリ２７６には、ロック解除履歴ファイルＦが格納されている（図６も参照）。さらに、情報処理部２７１には、図示しない入出力回路を介して、モータ２７９、検知センサ２８０、プルソレノイド２３、ブザー回路２８２、光センサ３０及び操作表示部３もバス接続されている。通信機構２７８は、紙幣入出金装置５ａと硬貨入出金装置５ｂとの間のデータ通信を実現する。ブザー回路２８２は、情報処理部２７１の制御に応じて所定のブザー音を出力する。
【００３６】
図６は、ロック解除履歴ファイルＦのデータ構成を示す模式図である。ロック解除履歴ファイルＦは、ロック解除情報３０１を追記可能に記憶する。ロック解除情報３０１は、
個々のロック解除情報３０１を識別可能にするためのユニークコードであるデータコード３０２と、記録時刻３０３と、解除者ＩＤ３０４とを格納できるデータ構造を有している。このロック解除履歴ファイルＦは、フラッシュメモリ２５６及びフラッシュメモリ２７６の両方に分散されて記憶されていてもよいし、この両者のいずれか一方にのみ記憶されていてもよく、また、ＰＯＳ端末２に備わるＨＤＤ２０６に記憶されていてもよい。
【００３７】
上記のような構成を備える貨幣入出金装置５では、エラー報知処理（図７参照）及びロック解除情報記憶処理（図８参照）が実行される。これらの処理は、紙幣入出金装置５ａの情報処理部２５１及び硬貨入出金装置５ｂの情報処理部２７１のそれぞれが独自に行う。そこで、以下の説明において、紙幣入出金装置５ａにおいて行われるエラー報知処理及びロック解除情報記憶処理について説明する。硬貨入出金装置５ｂにおいて行われるこれらの処理は、紙幣入出金装置５ａにおいて行われる処理と同一であるため、説明は省略する。
【００３８】
図７は、エラー報知処理の流れを示すフローチャートである。紙幣入出金装置５ａの情報処理部２５１は、機器の起動中、紙幣処理ユニット５ｃで貨幣詰まり（紙幣詰まり）が発生しているか否かを判定する（ステップＳ１０１）。一例として、紙幣入出金装置５ａの情報処理部２５１は、紙幣処理ユニット５ｃに形成されている紙幣搬送経路（図示せず、硬貨入出金装置５ｂにおける硬貨搬送経路５ｊに相当）に沿って配置される複数の検知センサ２６０のうち一の検知センサ２６０が所定時間以上連続して貨幣（紙幣）を検出していることをもって、紙幣処理ユニット５ｃ内で貨幣詰まり（紙幣詰まり）が発生していると判定する。また、別の一例として、紙幣入出金装置５ａの情報処理部２５１は、一の検知センサ２６０が貨幣（紙幣）を検知してから所定時間以内に紙幣搬送経路の下流側に位置する隣の検知センサ２６０が貨幣（紙幣）を検知しないことをもって、紙幣処理ユニット５ｃで貨幣詰まり（紙幣詰まり）が発生していると判定する。
【００３９】
貨幣詰まり（紙幣詰まり）が発生していると判定した場合（ステップＳ１０１のＹ）、紙幣入出金装置５ａの情報処理部２５１は、エラー報知処理を実行する（ステップＳ１０２）。エラー報知処理は、一例として、紙幣入出金装置５ａの情報処理部２５１が、ブザー回路２６２を制御して所定のブザー音を鳴らしたり、貨幣入出金装置５に接続されているＰＯＳ端末２に対して、ＰＯＳ端末２に備わるキャッシャ用表示部９に貨幣（紙幣）詰まりエラーが発生している旨の表示を行うためのコマンドを送信したりする処理である。
【００４０】
図８は、ロック解除情報記憶処理の流れを示すフローチャートである。紙幣入出金装置５ａの情報処理部２５１は、機器の起動中、紙幣処理ユニット５ｃが引き出されているか否かの判定（ステップＳ２０１）と、ロック解除命令が入力されているか否かの判定（ステップＳ２０３）とを行って、処理を待機している（ステップＳ２０１のＮ、Ｓ２０３のＮ）。
【００４１】
紙幣入出金装置５ａの情報処理部２５１は、紙幣処理ユニット５ｃが引き出されて筐体５ｅに設けられている光センサ３０が紙幣処理ユニット５ｃを検知しないことをもって、紙幣処理ユニット５ｃが引き出されていると判定する。紙幣処理ユニット５ｃが引き出されていると判定した場合（ステップＳ２０１のＹ）、紙幣入出金装置５ａの情報処理部２５１は、管理者の管理下に置かれている鍵１９により筐体５ｅからの紙幣処理ユニット５ｃのロックが解除されたものとして、解除者ＩＤとして管理者を示すコード（例：「９９９９」）に設定し（ステップＳ２０２）、処理を後述するステップＳ２０７に進める。
【００４２】
一方、ロック解除命令が入力されていると判定した場合（ステップＳ２０３のＹ）、紙幣入出金装置５ａの情報処理部２５１は、既に貨幣入出金装置５の操作表示部３やＰＯＳ端末２の入力部８から解除者ＩＤが入力されていてＲＡＭ２５４に記憶されているか否かを判定する（ステップＳ２０４）。解除者ＩＤは、前述したように、ＰＯＳ端末２の入力部８や貨幣入出金装置５の操作表示部３から入力され、キャッシャを特定できる正規なものである場合に限りＲＡＭ２５４に記憶されている。そのため、ステップＳ２０４の処理が行われる前に正規ではない解除者ＩＤが入力されたり、そもそも解除者ＩＤが入力されていなかったりするなどの理由により、ＲＡＭ２５４に正規な解除者ＩＤが記憶されていない場合（ステップＳ２０４のＮ）、紙幣入出金装置５ａの情報処理部２５１は、解除者ＩＤ入力処理を実行する（ステップＳ２０５）。解除者ＩＤ入力処理は、キャッシャに解除者ＩＤの入力を促すための処理であり、この処理の一例として、紙幣入出金装置５ａの情報処理部２５１は、ブザー回路２６２を制御して所定のブザー音を出力したり、ＰＯＳ端末２に対しキャッシャ用表示部９に解除者ＩＤを入力するよう促す表示を行うためのコマンドを送信したりする。紙幣入出金装置５ａの情報処理部２５１は、解除者ＩＤ入力処理において、ＰＯＳ端末２の入力部８や貨幣入出金装置５の操作表示部３から入力された解除者ＩＤが正規のものであるか否かを判定し、正規のものである場合に限りＲＡＭ２５４に記憶して、解除者ＩＤ入力処理（ステップＳ２０５）を終了し、処理をステップＳ２０６に進める。
【００４３】
ステップＳ２０４のＹ又はＳ２０５に続く処理として、紙幣入出金装置５ａの情報処理部２５１は、プルソレノイド２３を駆動して筐体５ｅからの紙幣処理ユニット５ｃのロックを解除する（ステップＳ２０６）。より詳細には、プルソレノイド２３が駆動していない通常時では、ロックレバー２１はスプリング２６によって付勢され、ロックレバー２１の先端部２１ａが嵌合部２２に嵌合し、キャッシャが筐体５ｅから紙幣処理ユニット５ｃを引き出そうとしても先端部２１ａが筐体５ｅに開口している第２嵌合孔２２ｂの内側面に干渉する。そのため、プルソレノイド２３が駆動していない通常時では、筐体５ｅからの紙幣処理ユニット５ｃの装着離脱はロックされていることになる。ここで、紙幣入出金装置５ａの情報処理部２５１がプルソレノイド２３を駆動すると（ステップＳ２０６）、プルソレノイド２３は下方に退避し、プルソレノイド２３が接続しているロックレバー２１の後端部２１ｂは、プルソレノイド２３の退避とともに下方に揺動し、これに伴ってロックレバー２１の先端部２１ａは上方に揺動して、先端部２１ａが嵌合部２２から脱離する。結果として、嵌合部２２に嵌合していたロックレバー２１の先端部２１ａの嵌合が外れて、筐体５ｉに対する硬貨処理ユニット５ｇの装着離脱が自在となる。
【００４４】
ステップＳ２０２又はステップＳ２０６に続く処理として、紙幣入出金装置５ａの情報処理部２５１は、ロック解除履歴ファイルＦにロック解除情報を記憶する処理を実行して（ステップＳ２０７）、ロック解除記録処理を終了する。ステップＳ２０７の処理において、紙幣入出金装置５ａの情報処理部２５１は、ＲＡＭ２５４に記憶されている解除者ＩＤと現在時刻とを対応付けてロック解除情報を構成し、このロック解除情報をロック解除履歴ファイルＦの最終レコードに追記する。ロック解除履歴ファイルＦでは、現在時刻は記録時刻３０３に、ＲＡＭ２５４に記憶されていた解除者ＩＤは解除者ＩＤ３０４にそれぞれ格納され、ロック解除履歴ファイルＦ内に既に記憶されているロック解除情報３０１との識別ができるように新たなデータコード３０２が付される。このようにしてロック解除情報３０１が蓄積されたロック解除履歴ファイルＦは、紙幣入出金装置５ａの情報処理部２５１が行う処理によって、ＰＯＳ端末２に送信されてキャッシャ用表示部９に表示されたり、ＰＯＳ端末２を介して図示しないストアコントローラや本部サーバに送信されたり、貨幣入出金装置５と接続する図示しないプリンタから表の形式で出力されたりする。
【００４５】
このように、本実施の形態の貨幣入出金装置５によれば、貨幣入出金装置５ではキャッシャを特定できる正規な解除者ＩＤが入力された場合、ロック解除命令が入力されていることを条件として、筐体５ｅ、５ｉからの貨幣入出金装置５のロックが解除されるとともに解除者ＩＤを含むロック解除情報が記憶部としてのフラッシュメモリ２５６、２７６に格納されているロック解除履歴ファイルＦに記憶される。そのため、本実施の形態の貨幣入出金装置５を用いることにより、鍵１９を管理する管理者を呼び出すことなく商品取引を行っているキャッシャ自身で貨幣入出金装置５において発生する貨幣詰まりを素早く解消できるという商品取引の迅速化が図られるとともに、貨幣処理機構部（紙幣処理ユニット５ｃ及び硬貨処理ユニット５ｇ）の装着離脱のロックが解除された際にロック解除履歴ファイルＦに記憶されるロック解除情報の内容を確認してロック解除を行ったキャッシャを特定することが可能になり、このことが犯罪の抑止力に繋がるため、貨幣入出金装置５に貨幣を保管する上での安全性を高めることができる。
【００４６】
また、本実施の形態の貨幣入出金装置５によれば、筐体５ｅ、５ｉ内部で貨幣詰まり等のエラーが発生した際にはエラー報知処理が実行されるため、キャッシャは貨幣入出金装置５の紙幣処理ユニット５ｃ及び硬貨処理ユニット５ｇの装着離脱のロックの解除を行うタイミングを的確に図ることができる。
【００４７】
さらに、本実施の形態の貨幣入出金装置５の筐体５ｅ、５ｉは、鍵１９によるロック解除も可能な構造であるため、キャッシャが操作しているＰＯＳ装置１の近辺に鍵１９を持ち合わせている管理者がいる場合には、キャッシャは貨幣入出金装置５の操作表示部３やＰＯＳ端末２の入力部８から正規の解除者ＩＤ及びロック解除命令を入力するまでもなく、素早く紙幣処理ユニット５ｃ及び紙幣処理ユニット５ｃの装着離脱のロックを解除して、滞留している貨幣を取り除くことができる。
【００４８】
次いで、別の実施の一形態を図９ないし図１１に基づいて説明する。この場合、図１ないし図８に基づいて説明した実施の形態と同一の部分は同一符号で示し、説明も省略する。
【００４９】
図９は、ＰＯＳ装置１の外観斜視図である。本実施の形態の貨幣入出金装置５には、個人を特定する個人特定情報を入力するための手段としての指紋認証端末３１が接続されている。指紋認証端末３１は、上面に載置された人間の指の指紋を画像データとして読み取り、画像データから指紋の特異点を抽出し、抽出した特異点の情報を貨幣入出金装置５に入力する。
【００５０】
図１０は、認証テーブルＧのデータ構成を示す模式図である。本実施の形態のフラッシュメモリ２５６には、図示しないストアコントローラや本部サーバからＰＯＳ端末２を介してダウンロードされた認証テーブルＧが格納されている。認証テーブルＧは、個人特定情報としての特異点情報３０５と解除者ＩＤ３０６とを対応付けて記憶している。
【００５１】
図１１は、個人特定情報入力処理の流れを示すフローチャートである。本実施の形態の紙幣入出金装置５ａの情報処理部２５１は、指紋認証端末３１からの特異点情報の入力を待機している（ステップＳ３０１）。特異点情報が入力された場合（ステップＳ３０１のＹ）、紙幣入出金装置５ａの情報処理部２５１は、認証テーブルＧを検索して（ステップＳ３０２）入力された特異点情報と一致する特異点情報が含まれているかどうかを判定する（ステップＳ３０３）。一致する特異点情報が含まれている場合（ステップＳ３０３のＹ）、紙幣入出金装置５ａの情報処理部２５１は、ロック解除命令が入力されたものとする処理を実行し（ステップＳ３０３ａ）、入力された特異点情報に対応する解除者ＩＤを正規の解除者ＩＤとしてＲＡＭ２５４に記憶し（ステップＳ３０４）、続いてロック解除情報記憶処理を実行して（ステップＳ３０５、図８参照）、処理を終了する。これに対し、入力された特異点情報が認証テーブルＧに含まれていない場合（ステップＳ３０３のＮ）、紙幣入出金装置５ａの情報処理部２５１は、ブザー回路２６２を制御して所定の警告音を鳴らしたり、ＰＯＳ端末２に対しキャッシャ用表示部９にエラーメッセージを表示するためのコマンドを送信したりするなどの警告処理を実行して（ステップＳ３０６）、処理を終了する。
【００５２】
本実施の形態の貨幣入出金装置５によれば、個人を特定する個人特定情報を入力するための手段としての指紋認証端末３１を備え、個人特定情報としての指紋の特異点情報の入力によって解除者ＩＤが特定されキャッシャを確実に特定できるため、貨幣入出金装置に貨幣を保管する上での安全性がさらに高まる。
【００５３】
さらに、本実施の形態の貨幣入出金装置５によれば、個人特定情報としての指紋の特異点情報の入力によってロック解除の操作及びロック解除情報の記録を同時に行うことができるため、キャッシャ自身で貨幣入出金装置５において発生する貨幣詰まりをさらに素早く解消することができる。
【００５４】
なお、本実施の形態において、個人を特定する個人特定情報を入力するための手段としては、指紋の特異点を入力するための指紋認証端末３１の他、掌紋認証端末や網膜認証端末などの生体認証端末を利用するようにしてもよい。また、認証テーブルＧに予め貨幣入出金装置５のロック解除が許可された店員コードを格納しておき、テンキーパッドを用いてキャッシャが自身に割り当てられた店員コードを入力し、認証テーブルＧに入力された店員コードが存在する場合にロック解除情報記憶処理（図８参照）を実行するようにしてもよい。
【００５５】
次いで、別の実施の一形態を図１２ないし図１６に基づいて説明する。この場合、図１ないし図８に基づいて説明した実施の形態と同一の部分は同一符号で示し、説明も省略する。本実施の形態のＰＯＳ装置１では、ＰＯＳ端末２にサインオン操作を行う際に用いられた操作者ＩＤに対して筐体５ｅ、５ｉからの貨幣処理機構部としての紙幣処理ユニット５ｃや硬貨処理ユニット５ｇの装着離脱のロック解除権限が付与されている場合にのみ、その操作者ＩＤを正規な解除者ＩＤとするロック解除情報記憶処理（図８参照）が実行され、ロック解除権限が付与されていない操作者ＩＤを用いてＰＯＳ端末２にサインオン操作がなされている場合にはロック解除情報記憶処理は行われない。
【００５６】
図１２は、権限テーブルＨのデータ構成を示す模式図である。権限テーブルＨは、ＰＯＳ装置１からデータアクセスが可能な記憶領域に記憶されている。一例として、権限テーブルＨは、ＰＯＳ端末２のＨＤＤ２０６、紙幣入出金装置５ａのフラッシュメモリ２５６、硬貨入出金装置５ｂのフラッシュメモリ２７６、ＰＯＳ端末２とネットワークを介して接続されている図示しないストアコントローラや本部サーバに備わる記憶媒体に記憶されている。権限テーブルＨは、操作者ＩＤ３０７及び権限情報３０８を対応付けて予め記憶されている。権限情報３０８は、対応する操作者ＩＤ３０７により特定される者が、貨幣入出金装置５の筐体５ｅ、５ｉからのロック貨幣機構処理部としての紙幣処理ユニット５ｃや硬貨処理ユニット５ｇのロックを解除することが認められているロック解除権限を有するか否かを示すものである。一例として、権限テーブルＨは、ロック解除権限を有することを示す場合には権限情報３０８に「管理者」というコードを記憶し、ロック解除権限を有さないことを示す場合には権限情報３０８に「一般」というコードを記憶している。例えば、図１２に示す例では、権限テーブルＨは、操作者ＩＤ３０７＝「○○○○」により特定される者はロック解除権限を有さず、操作者ＩＤ３０７＝「□□□□」により特定される者はロック解除権限を有していることを示している。
【００５７】
本実施の形態のＰＯＳ装置１では、ＰＯＳ端末２及び貨幣入出金装置５の間で各種のデータ通信が行われて、ロック解除情報記憶処理（図８参照）が実行される。この処理の流れとしては、少なくとも、図１３ないし図１６に示す形態がある。
【００５８】
図１３は、ＰＯＳ装置１で行われる処理の第１の態様の流れを示すフローチャートである。ＰＯＳ端末２の情報処理部２０１は、機器の起動中、入力部８からのロック解除命令の入力を待機している（ステップＳ３０１）。ロック解除命令の入力を判定した場合（ステップＳ３０１のＹ）、ＰＯＳ端末２の情報処理部２０１は、権限テーブルＨを検索してＰＯＳ端末２のサインオンに用いられた操作者ＩＤに対応する権限情報３０８を取得し（ステップＳ３０２）、サインオンに用いられた操作者ＩＤにロック解除権限が付与されているか否かを判定する（ステップＳ３０３）。サインオンに用いられた操作者ＩＤにロック解除権限が付与されていると判定した場合（ステップＳ３０３のＹ）、ＰＯＳ端末２の情報処理部２０１は、貨幣入出金装置５に対し、サインオンに用いられた操作者ＩＤ及びロック解除命令を入力して（ステップＳ３０４）、処理を終了する。貨幣入出金装置５では、サインオンに用いられた操作者ＩＤ及びロック解除命令が入力されると、入力された操作者ＩＤを正規な解除者ＩＤとして適用したロック解除情報記憶処理が実行される。これに対し、ステップＳ３０３において、サインオンに用いられた操作者ＩＤにロック解除権限が付与されていないと判定した場合（ステップＳ３０３のＮ）、ＰＯＳ端末２の情報処理部２０１は、キャッシャ用表示部９に、サインオンに用いられた操作者ＩＤにはロック解除権限が付与されておらずロック解除を行うことが出来ない旨を示すメッセージ表示を行い（ステップＳ３０５）、処理を終了する。
【００５９】
図１４は、ＰＯＳ装置１で行われる処理の第２の態様の流れを示すフローチャートである。ＰＯＳ端末２の情報処理部２０１は、機器の起動中、入力部８からのロック解除命令の入力を待機している（ステップＳ４０１）。ロック解除命令の入力を判定した場合（ステップＳ４０１のＹ）、ＰＯＳ端末２の情報処理部２０１は、貨幣入出金装置５に対し、サインオンに用いられた操作者ＩＤ及びロック解除命令を入力して（ステップＳ４０２）、処理を終了する。
【００６０】
貨幣入出金装置５を構成する紙幣入出金装置５ａの情報処理部２５１は、機器の起動中、ＰＯＳ端末２からの操作者ＩＤ及びロック解除命令の入力を待機している（ステップＳ４０３）。入力があった場合（ステップＳ４０３のＹ）、紙幣入出金装置５ａの情報処理部２５１は、第１の態様においてＰＯＳ端末２の情報処理部２０１が実行するステップＳ３０２及びＳ３０３の処理と同様に、入力された操作者ＩＤに対応する権限情報３０８を権限テーブルＨから取得し（ステップＳ４０５）、この操作者ＩＤに付与された権限情報３０８の内容を判定する（ステップＳ４０６）。操作者ＩＤにロック解除権限が付与されていると判定した場合（ステップＳ４０６のＹ）、紙幣入出金装置５ａの情報処理部２５１は、入力された操作者ＩＤを正規な解除者ＩＤとして（ステップＳ４０７）、ロック解除情報記憶処理を実行して（ステップＳ４０８、図８参照）、処理を終了する。これに対し、ステップＳ４０６において、操作者ＩＤにロック解除権限が付与されていないと判定した場合（ステップＳ４０６のＮ）、紙幣入出金装置５ａの情報処理部２５１は、ＰＯＳ端末２のサインオンに用いられた操作者ＩＤにはロック解除権限が付与されておらず貨幣入出金装置５のロック解除を行うことが出来ない旨を報知する警告処理を行い（ステップＳ４０９）、一連の処理を終了する。この警告処理は、一例として、紙幣入出金装置５ａの情報処理部２５１がブザー回路２６２を制御して所定のエラー音を鳴らしたり、ＰＯＳ端末２に対しキャッシャ用表示部９にメッセージを表示するためのコマンドを送信したりする処理である。
【００６１】
図１５は、ＰＯＳ装置１で行われる処理の第３の態様の流れを示すフローチャートである。貨幣入出金装置５を構成する紙幣入出金装置５ａの情報処理部２５１は、機器の起動中、操作表示部３からのロック解除命令の入力を待機している（ステップＳ５０１）。ロック解除命令の入力があった場合（ステップＳ５０１のＹ）、紙幣入出金装置５ａの情報処理部２５１は、ＰＯＳ端末２に対し、ロック解除情報記憶処理を行う際に解除者ＩＤとして用いる操作者ＩＤを要求する要求信号を送信する（ステップＳ５０２）。
【００６２】
ＰＯＳ端末２の情報処理部２０１は、貨幣入出金装置５から送信される要求信号の受信を待機している（ステップＳ５０３）。要求信号を受信した場合（ステップＳ５０３のＹ）、ＰＯＳ端末２の情報処理部２０１は、第１の態様におけるステップＳ３０２、Ｓ３０３と同様の処理を行い（ステップＳ５０４、Ｓ５０４ａ）、サインオンに用いられた操作者ＩＤにロック解除権限が付与されていると判定した場合（ステップＳ５０４ａのＹ）、貨幣入出金装置５に対し、サインオンに用いられた操作者ＩＤを入力して（ステップＳ５０５）、処理を終了する。これに対し、ステップＳ５０４ａにおいて、サインオンに用いられた操作者ＩＤにロック解除権限が付与されていないと判定した場合（ステップＳ５０４ａのＮ）、ＰＯＳ端末２の情報処理部２０１は、第１の態様におけるステップＳ３０５と同じ処理を行い（ステップＳ５０６）、貨幣入出金装置５に対し処理中止信号を送信して（ステップＳ５０７）、処理を終了する。
【００６３】
紙幣入出金装置５ａの情報処理部２５１は、ステップＳ５０２の処理を実行した後、ＰＯＳ端末２からの操作者ＩＤ及び処理中止信号のいずれかの入力を待機している（ステップＳ５０８、Ｓ５０９）。操作者ＩＤの入力を判定した場合（ステップＳ５０８のＹ）、紙幣入出金装置５ａの情報処理部２５１は、入力された操作者ＩＤを正規な解除者ＩＤとし（ステップＳ５１０）、ロック解除情報記憶処理を実行して（ステップＳ５１１、図８参照）、処理を終了する。これに対し、処理中止信号が入力された場合（ステップＳ５０９のＹ）、紙幣入出金装置５ａの情報処理部２５１は、実行中の一連の処理を中止する。
【００６４】
図１６は、ＰＯＳ装置１で行われる処理の第４の態様の流れを示すフローチャートである。貨幣入出金装置５を構成する紙幣入出金装置５ａの情報処理部２５１は、機器の起動中、操作表示部３からのロック解除命令の入力を待機している（ステップＳ６０１）。ロック解除命令の入力があった場合（ステップＳ６０１のＹ）、紙幣入出金装置５ａの情報処理部２５１は、ＰＯＳ端末２に対し、ロック解除情報記憶処理を行う際に解除者ＩＤとする操作者ＩＤを要求する要求信号を送信する（ステップＳ６０２）。
【００６５】
ＰＯＳ端末２の情報処理部２０１は、貨幣入出金装置５から送信される要求信号の受信を待機している（ステップＳ６０３）。要求信号を受信した場合（ステップＳ６０３のＹ）、ＰＯＳ端末２の情報処理部２０１は、ＰＯＳ端末２のサインオンに用いられた操作者ＩＤを貨幣入出金装置５に入力して（ステップＳ６０４）、処理を終了する。
【００６６】
紙幣入出金装置５ａの情報処理部２５１は、ステップＳ６０２の処理を実行した後、ＰＯＳ端末２からの操作者ＩＤの入力を待機している（ステップＳ６０５）。操作者ＩＤの入力を判定した場合（ステップＳ６０５のＹ）、紙幣入出金装置５ａの情報処理部２５１は、第２の態様におけるステップＳ４０５〜Ｓ４０９と同様の処理に、入力された操作者ＩＤに対応する権限情報３０８を取得して（ステップＳ６０６）、この操作者ＩＤに付与された権限情報３０８の内容を判定し（ステップＳ６０７）、操作者ＩＤにロック解除権限が付与されていると判定した場合には（ステップＳ６０７のＹ）入力された操作者ＩＤを正規な解除者ＩＤとしてロック解除情報記憶処理を実行して一連の処理を終了し（ステップＳ６０８、Ｓ６０９、図８参照）、操作者ＩＤにロック解除権限が付与されていないと判定した場合（ステップＳ６０７のＮ）、警告処理を行って（ステップＳ６１０）、一連の処理を終了する。
【００６７】
このように、本実施の形態のＰＯＳ装置１では、図１３ないし図１６に基づいて説明したいずれの態様の処理によっても、ＰＯＳ端末２のサインオンに用いられた操作者ＩＤにロック解除権限が付与されている場合にのみロック解除命令の操作入力を行うことで即座に筐体５ｅ、５ｉからの紙幣処理ユニット５ｃや硬貨処理ユニット５ｇの装着離脱のロックの解除を行うことができるため、貨幣収納部に貨幣を保管する上での安全性がさらに高まり、これに加えて、サインオンを実行しＰＯＳ装置１で作業を行っているキャッシャは改めて解除者ＩＤの入力を行うことなくロック解除を行うことができるので、貨幣入出金装置５において発生する貨幣詰まりをさらに素早く解消できるようになる。
【図面の簡単な説明】
【００６８】
【図１】ＰＯＳ装置で行われる処理の概要を示す模式図である。
【図２】ＰＯＳ装置の外観斜視図である。
【図３】硬貨処理ユニットが引き出された状態の硬貨入出金装置の外観斜視図である。
【図４】ロック機構の構造を示す模式図である。
【図５】ＰＯＳ装置のハードウェア構成を示すブロック図である。
【図６】ロック解除履歴ファイルのデータ構成を示す模式図である。
【図７】エラー報知処理の流れを示すフローチャートである。
【図８】ロック解除情報記憶処理の流れを示すフローチャートである。
【図９】ＰＯＳ装置の外観斜視図である。
【図１０】認証テーブルのデータ構成を示す模式図である。
【図１１】個人特定情報入力処理の流れを示すフローチャートである。
【図１２】権限テーブルのデータ構成を示す模式図である。
【図１３】ＰＯＳ装置で行われる処理の第１の態様の流れを示すフローチャートである。
【図１４】ＰＯＳ装置で行われる処理の第２の態様の流れを示すフローチャートである。
【図１５】ＰＯＳ装置で行われる処理の第３の態様の流れを示すフローチャートである。
【図１６】ＰＯＳ装置で行われる処理の第４の態様の流れを示すフローチャートである。
【符号の説明】
【００６９】
１…ＰＯＳ装置、２…ＰＯＳ端末、３…操作表示部（命令入力手段、解除者ＩＤ入力手段）、５…貨幣入出金装置、５ｃ…紙幣処理ユニット（貨幣処理機構部）、５ｅ…筐体、５ｇ…硬貨処理ユニット（貨幣処理機構部）、５ｉ…筐体、６…ロック機構、８…入力部（命令入力手段、解除者ＩＤ入力手段）、１３…紙幣挿入口（入金口）、１４…紙幣排出口（出金口）、１５…硬貨投入口（入金口）、１６…硬貨排出口（出金口）、１９…鍵、２３…プルソレノイド（ロック解除機構）、３１…指紋認証端末（個人特定情報を入力するための手段）、２５６…フラッシュメモリ（記憶部）、２７６…フラッシュメモリ（記憶部）、３０１…ロック解除情報、３０４…解除者ＩＤ、３０５…特異点情報（個人特定情報）、３０６…解除者ＩＤ、Ｇ…認証テーブル
【図１】
0004878595.tif 000002
【図２】
0004878595.tif 000003
【図３】
0004878595.tif 000004
【図４】
0004878595.tif 000005
【図５】
0004878595.tif 000006
【図６】
0004878595.tif 000007
【図７】
0004878595.tif 000008
【図８】
0004878595.tif 000009
【図９】
0004878595.tif 000010
【図１０】
0004878595.tif 000011
【図１１】
0004878595.tif 000012
【図１２】
0004878595.tif 000013
【図１３】
0004878595.tif 000014
【図１４】
0004878595.tif 000015
【図１５】
0004878595.tif 000016
【図１６】
0004878595.tif 000017